(57)【要約】【課題】複数の電力装置間で制御の優先順位をつけ、優先順位の高い方から、それぞれ一定の設定値により入出力制御を実施し、電力余剰分は、優先順位の低い電力装置が過不足分を小さくするように制御し得る電力融通システムを提供する。【解決手段】系統電源１、太陽光パネル３および蓄電池５の複数の入力源と、これら複数の入力源からの入力を受けて出力する電力バス１０と、電力バス１０から出力される入力源からの電力を集中させて受ける蓄電池５、ＥＶ用電池７および系統電源（回生）１の複数の出力源とを備えて電力融通システムを構成し、複数の入力源間の入力制御に、設定電圧の高い順に優先順位を与えて電力バス１０に入力制御し、複数の出力源への出力は、設定電圧の低い順に優先順位を与えて出力制御する。【選択図】  図１
2018038126.tif 000002
【特許請求の範囲】
【請求項１】
電力バスと、
電力入力源から前記電力バスへ電力を供給し、電力バスの電圧を検出して入力制御する入力型電源と、
前記電力バスから電力出力先へ電力を供給し、電力バスの電圧を検出して出力制御する出力型電源と、
前記入力型電源と前記出力型電源との２つの機能を併せ持つ双方向電源と、
前記入力型電源、前記出力型電源および前記双方向電源に対して運転指令し前記電力バスへの電力の入出力制御を行う電力制御手段と、
を備えた電力融通システムにおいて、
前記入力型電源および入力型電源として機能するときの前記双方向電源は、前記電力バスへ電力を入れ過ぎないようにするため、設定した定電圧より高くならないようにする定電圧制御機能を備え、かつ、定電圧の設定値が大きい入力型電源または双方向電源ほど、電力バスへ電力を入れる優先順位が高くなるように設定したことを特徴とする電力融通システム。
【請求項２】
前記出力型電源および出力型電源として機能するときの前記双方向電源は、電力バスから電力を取り過ぎないようにするため、設定した定電圧より低くならないようにする定電圧制御機能を備え、かつ、定電圧の設定値が小さい出力型電源および双方向電源ほど、電力バスから電力を取り込む優先順位が高くなるように設定した請求項１に記載の電力融通システム。
【請求項３】
前記双方向電源は、複数の電力入力源のうち何れの電力入力源から優先的に電力を投入し、複数の電力出力先のうち何れの電力出力先へ優先的に電力を送出するかを決める運転指令を行うのに当たり、入力型電源として機能するときの上限定電圧と出力型電源として機能するときの下限定電圧とに電圧差を設けて順番に並べることにより、入力電力と出力電力とのバランスによって前記電力バスの安定電圧が決定され、自動的に電力融通制御が行われるようにした請求項１または請求項２に記載の電力融通システム。
【発明の詳細な説明】
【技術分野】
【０００１】
本発明は、電力融通システム、特に、直流定電圧型電源を利用した電力融通システムに関する。
【背景技術】
【０００２】
近年、比較的小規模の発電装置を分散配置して電力の供給を行う分散型電源システムとして、系統電源が存在する場合に、太陽電池、蓄電池、その他の電池を利用して系統電源からの電力供給量を一定化することができ、また、系統電源が存在しない場合には、システム装置内で各機器を一体化して、各機器を有機的に使用することができる電源システムが多用されている。
【０００３】
１例として、太陽電池から出力される直流電圧を調整するＤＣ／ＤＣコンバータと、直流電池に入出力される直流電圧を調整する第１の双方向ＤＣ／ＤＣコンバータとに加えて、自動車用電池と、この自動車用電池に入出力される直流電圧を調整する第２の双方向ＤＣ／ＤＣコンバータと、を備え、ＤＣ／ＤＣコンバータ、第１の双方向ＤＣ／ＤＣコンバータおよび第２の双方向ＤＣ／ＤＣコンバータを制御部により有機的に制御して、系統電源からの電力供給量を一定化するとともに、系統電源の停電時には、太陽電池、蓄電池および自動車用電池を有機的に使用して負荷への電力を供給するようにした分散型電源シテムが提案されている（例えば、特許文献1参照。）。
【先行技術文献】
【特許文献】
【０００４】
【特許文献１】特開２０１５−７６９７７号公報（第４−６頁、図1）
【発明の概要】
【発明が解決しようとする課題】
【０００５】
特許文献１に開示された分散型電源システムやその他の従来の分散型電源システムでは、電力バスに接続された入力機器と出力機器との電力値を指令し、電力融通のコマンドを指定する、といった方法が採用されている。このため、変換効率などを考慮し、特に入出力機器が多い場合には煩雑な計算をする必要があった。また、複数の電力装置（入出力機器）が同時に同じ動作、例えば、電力バスへの入力が２０ｋＷであるのに対し、２つの電力装置から１５ｋＷおよび１０ｋＷをそれぞれ出力するように設定したとき、設定エラーになる、といった問題点がある。
【０００６】
本発明は、上記した問題点に着眼してなされたものであって、複数の電力装置間で制御の優先順位をつけて、優先順位の高い方から、それぞれ一定の設定値により入出力制御を実施するとともに、電力余剰分は、優先順位の低い電力値が過不足分を小さくするように制御することができる電力融通システムを提供することを目的とする。
【課題を解決するための手段】
【０００７】
請求項１に係る発明は、電力バスと、電力入力源から前記電力バスへ電力を供給し、電力バスの電圧を検出して入力制御する入力型電源と、前記電力バスから電力出力先へ電力を供給し、電力バスの電圧を検出して出力制御する出力型電源と、前記入力型電源と前記出力型電源との２つの機能を併せ持つ双方向電源と、前記入力型電源、前記出力型電源および前記双方向電源に対して運転指令し前記電力バスへの電力の入出力制御を行う電力制御手段と、を備えた電力融通システムにおいて、前記入力型電源および入力型電源として機能するときの前記双方向電源は、前記電力バスへ電力を入れ過ぎないようにするため、設定した定電圧より高くならないようにする定電圧制御機能を備え、かつ、定電圧の設定値が大きい入力型電源または双方向電源ほど、電力バスへ電力を入れる優先順位が高くなるように設定したことを特徴とする。
【０００８】
また、請求項２に係る発明は、請求項１に記載の電力融通システムにおいて、前記出力型電源および出力型電源として機能するときの前記双方向電源は、電力バスから電力を取り過ぎないようにするため、設定した定電圧より低くならないようにする定電圧制御機能を備え、かつ、定電圧の設定値が小さい出力型電源および双方向電源ほど、電力バスから電力を取り込む優先順位が高くなるように設定したことを特徴とする。
【０００９】
また、請求項３に係る発明は、請求項１または請求項２に記載の電力融通システムにおいて、前記双方向電源は、複数の電力入力源のうち何れの電力入力源から優先的に電力を投入し、複数の電力出力先のうち何れの電力出力先へ優先的に電力を送出するかを決める運転指令を行うのに当たり、入力型電源として機能するときの上限定電圧と出力型電源として機能するときの下限定電圧とに電圧差を設けて順番に並べることにより、入力電力と出力電力とのバランスによって前記電力バスの安定電圧が決定され、自動的に電力融通制御が行われるようにしたことを特徴とする。
【発明の効果】
【００１０】
本発明によれば、複数の電力装置間の制御順位をつけて、優先順位の高い方から、それぞれ一定の設定値により、入出力制御を実施するとともに、電力バス内の電力の不足／余剰分については、優先順位の低い電力装置が過不足分を小さくするように制御しているので、
１）電力バスに接続された入力機器と出力機器とに対し、一次元的なデータ並びをコマンド指定するだけで、電力融通の優先順位を容易に決定することができる。
２）入力機器から電力バスへの出力電力が増えればバス電圧が上昇し、電力バスから出力機器への入力電力が増えればバス電圧が低下する、といった状態を計測制御するだけで、入力機器と出力機器との間の電力供給／受給関係の実現が可能であり、外部からの調整を行わなくても、自動的に電力余剰機器から電力不足機器への電力の流れを生じる。
３）蓄電池などの充放電の双方向性を持つ機器を、任意の優先順位に設定することにより、電力バッファとしての機能を実現することができる。
４）各入出力機器の電源としての機能は、ＣＶ（Ｃｏｎｓｔａｎｔ  Ｖｏｌｔａｇｅ：定電圧）値の動作であるため、特別な機能拡張は必要がない。
５）電力の入出力の設定をするとき、入出力を計算してシステム内部電力を一定にする、といった計算が不要となる。
という効果が得られる。
【図面の簡単な説明】
【００１１】
【図１】本発明の実施形態の１例を示し、電力融通システムの概略構成を示す回路ブロック図である。
【図２】図１に示した電力融通システムにおけるシステム設定例の設定条件を示す図表である。
【図３】図１に示した電力融通システムにおけるシステム設定例の設定条件の動作範囲を示す図表である。
【図４】図１に示した電力融通システムにおける入力優先順位１位の入力機器における動作制御を説明するためのフロー図である。
【図５】同じく電力融通システムにおける出力優先順位３位の出力機器における動作制御を説明するためのフロー図である。
【図６】同じく電力融通システムにおける出力優先順位２位の出力機器における動作制御を説明するためのフロー図である。
【図７】同じく電力融通システムにおける入力優先順位２位の入力機器における動作制御を説明するためのフロー図である。
【図８】同じく電力融通システムにおける入力優先順位３位の入力機器における動作制御を説明するためのフロー図である。
【図９】同じく電力融通システムにおける出力優先順位１位の出力機器における動作制御を説明するためのフロー図である。
【図１０】本発明の別の実施形態を示し、電力融通システムの概略構成を示す回路ブロック図である。
【発明を実施するための形態】
【００１２】
以下、実施の形態により、本発明についてさらに詳細に説明する。図１は、本発明の１実施形態に係る電力融通システムであって直流定電圧電源を利用したシステムの構成を示す回路ブロック図である。
【００１３】
図１に示すように、この電力融通システムは、系統電源１およびインバータ２と、太陽光パネル３およびソーラーインバータ４と、蓄電池５および充放電器６と、ＥＶ（電気自動車）用電池７および充放電器８と、制御システム（制御部）９と、インバータ２、ソーラーインバータ４および充放電器６、８にそれぞれ接続された電力バス１０と、制御システム９からの制御信号をインバータ２、ソーラーインバータ４および充放電器６、８にそれぞれ入力する通信回線１１とで構成されている。制御システム９は、上位制御システム（ＥＭＳ）２２に接続されている。そして、この電力融通システムにおいて、系統電源１、太陽光パネル３、蓄電池５およびＥＶ用電池７の相互間で互いに電力を授受しあるいは受け取るようにして電力を融通し合う。
【００１４】
この電力融通システムにおいては、複数の電力入力源が存在し、それらの電力を集中させ、複数の電力出力先に電力を分配供給する。このシステムにおける上記した回路構成自体は、従来の回路構成と特に変わるところがないが、この電力融通システムでは、複数の電力装置間の制御に優先順位をつけて、優先順位の高い方から、その一定の設定値により入出力制御を行うようにしている。このような制御を行うことにより、電力バス内における電力の不足／余剰分については、優先順位の低い電力装置が過不足分を小さくするようにする。
【００１５】
具体的に説明すると、図２に示すように、この電力融通システムにおいて、電力バス１０への定電圧制御機能を持つ入力型電源である太陽光パネル３のソーラーインバータ４からの入力が設定電圧４２０Ｖ以下で、入力型電源である系統電源１のインバータ２からの入力が設定電圧３９０Ｖ以下で、さらに入力型電源である蓄電池５の充放電器６からの入力（蓄電池電圧）が設定電圧３８０Ｖ以下で、それぞれ電力バス１０への入力が稼動するように設定されている。これらの入力機器は、図３に示すように、太陽光パネル３のソーラーインバータ４が電力バス１０の電圧４２０Ｖ以下で、系統電源１のインバータ２が電力バス１０の電圧３９０Ｖ以下で、蓄電池５の充放電器６が電力バス１０の電圧３８０Ｖ以下で、電力バス１０への入力がそれぞれ実行される。
【００１６】
また、電力バス１０から電力出力先への定電圧制御機能を持つ出力型電源であるＥＶ用電池７には電力バス１０の電圧が３７０Ｖより大きいと、出力型電源である蓄電池５には電力バス１０の電圧が４００Ｖより大きいと、さらに出力型電源である系統電源（回生）１には電力バス１０の電圧が４１０Ｖより大きいと、それぞれ電力バス１０からの出力が稼動するように設定されている。これらの出力機器は、図３に示すように、ＥＶ用電池７への出力が３７０Ｖ超えで、蓄電池５への出力が４００Ｖ超えで、系統電源１への出力が４１０Ｖ超えで、電力バス１０からの出力がそれぞれ実行される。
【００１７】
ここで、系統電源１および蓄電池５はそれぞれ、入力型電源と出力型電源の２つの機能を併せ持つ双方向電源であるが、便宜的に、それらが入力型電源として機能するときはそれらを入力型電源と呼び、それらが出力型電源として機能するときはそれらを出力型電源と呼ぶこととする。
【００１８】
次に、上記した構成を備えた電力融通システムにおいて、電力バス１０の電圧に応じて各入出力装置の装置稼動および装置停止を制御する処理手順の１例について、図４〜図９に示すフロー図を参照しながら説明する。図４は、太陽光パネル３から電力バス１０への入力動作に係るフローを、図５は、電力バス１０から系統電源１への出力動作に係るフローを、図６は、電力バス１０から蓄電池５への出力（蓄電池５充電）動作に係るフローを、図７は、系統電源１から電力バス１０への入力動作に係るフローを、図８は、蓄電池５から電力バス１０への入力（蓄電池５放電）動作に係るフローを、図９は、電力バス１０からＥＶ用電池７への出力（ＥＶ用電池７充電）動作に係るフローをそれぞれ示している（図３参照）。
【００１９】
制御システム９による制御処理を開始すると、図４に示すフロー図におけるステップＳＴ１において、電力バス１０の電圧Ｖｂと設定電圧Ｖ１＝４２０Ｖとを比較し、電力バス１０の電圧Ｖｂが設定電圧４２０Ｖより大きいかそれ以下であるかを判定する。電力バス１０の電圧Ｖｂが４２０Ｖ以下（Ｖｂ≦４２０Ｖ）であるときはステップＳＴ２へ移行し、電圧Ｖｂが４２０Ｖよりも大きい（Ｖｂ＞４２０Ｖ）ときはステップＳＴ７へ移行する。
【００２０】
ステップＳＴ２においては、装置が入出力の何れであるかを判定する。ここでは、処理動作の開始時であるので、装置が入力装置である太陽光パネル３であるとの判定により、ステップＳＴ３へ移行する。なお、装置が入力装置ではないと判定したときは、図５に示すフロー図におけるステップＳＴ９へ移行する。
【００２１】
ステップＳＴ３においては、入力装置である太陽光パネル３およびソーラーインバータ４の装置稼動を選択し、ステップＳＴ４へ移行する。ステップＳＴ４においては、稼動条件、例えば電圧等を満足するか否かを判定する。稼動条件を満足するときは、判定ＹＥＳによりステップＳＴ５へ移行する。ステップＳＴ５においては、太陽光パネル３およびソーラーインバータ４を稼動し、電力バス１０へ５０ｋＷの電力を入力する。そして、ステップＳＴ９へ移行する。一方、ステップＳＴ４において、稼動条件を満足しないと判定したときは、判定ＮＯによりステップＳＴ６へ移行し、装置を停止して、ステップＳＴ９へ移行する。
【００２２】
また、ステップＳＴ７において、装置が入出力の何れであるかを判定する。ここでは、処理動作の開始時であるので、装置が入力装置である太陽光パネル３であるとの判定により、ステップＳＴ８へ移行し、装置を停止して、ステップＳＴ９へ移行する。なお、装置が入力装置ではないと判定したときもステップＳＴ９へ移行する。以上の処理動作により、電圧Ｖｂが４２０Ｖ以下で太陽光パネル３からソーラーインバータ４を経て電力バス１０へ５０ｋＷの電力が入力される。
【００２３】
次に、ステップＳＴ９において、電力バス１０の電圧Ｖｂと設定電圧Ｖ２＝４１０Ｖとを比較し、電圧Ｖｂが設定電圧４１０Ｖより大きいかそれ以下であるかを判定する。電力バス１０の電圧Ｖｂが４１０Ｖよりも大きい（Ｖｂ＞４１０Ｖ）ときはステップＳＴ１０へ移行し、電圧Ｖｂが４１０Ｖ以下（Ｖｂ≦４１０Ｖ）であるときはステップＳＴ１５へ移行する。
【００２４】
ステップＳＴ１０においては、装置が入出力の何れであるか、すなわち、系統電源１が、電力バス１０へ電力を入力する入力装置であるか、電力バス１０から電力を受ける、つまり回生装置としての出力装置であるかを判別する。ここでの装置は、電力バス１０から電力を受ける出力装置である。したがって、ステップＳＴ１０において装置が出力装置であると判定されることにより、ステップＳＴ１１へ移行する。なお、装置が出力装置ではないと判定したときは、図６に示すフロー図におけるステップＳＴ１７へ移行する。
【００２５】
ステップＳＴ１１においては、出力装置である系統電源１およびインバータ２の稼動を選択する。続いて、ステップＳＴ１２において、稼動条件、例えば停電、電圧、電力等について満足するか否か、といった判定を行う。ここでは、出力装置として最初の稼働であり、優先稼働するＥＶ用電池７への充電および蓄電池５の稼働がなされておらず、系統電源1の稼働条件を満足していないため、判定ＮＯによりステップＳＴ１３へ移行する。そして、ステップＳＴ１３において、系統電源1への出力（回生）を装置停止のままとして、ステップＳＴ１７へ移行する。
【００２６】
また、ステップＳＴ１５において、装置が入出力の何れであるかを判定する。ここでの装置は、電力バス１０から電力を受ける出力装置であるので、ステップＳＴ１６へ移行し、系統電源1への出力（回生）を装置停止のままとして、ステップＳＴ１７へ移行する。なお、装置が出力装置ではないと判定したときもステップＳＴ１７へ移行する。
【００２７】
次に、ステップＳＴ１７において、電力バス１０の電圧Ｖｂと設定電圧Ｖ３＝４００Ｖとを比較し、電圧Ｖｂが設定電圧４００Ｖより大きいかそれ以下であるかを判定する。電力バス１０の電圧Ｖｂが４００Ｖより大きい（Ｖｂ＞４００Ｖ）ときはステップＳＴ１８へ移行し、電圧Ｖｂが４００Ｖ以下（Ｖｂ≦４００Ｖ）であるときはステップＳＴ２３へ移行する。
【００２８】
ステップＳＴ１８においては、装置が入出力の何れであるか、すなわち、蓄電池５が、電力バス１０へ電力を入力する入力装置であるか、電力バス１０から電力を受ける出力装置であるかを確認し、蓄電池５が電力バス１０に対して電力放電を行う入力装置であるか、電力バス１０からの電力を受けて充電する出力装置であるかを判別する。ここでの装置は、電力バス１０から電力を受ける出力装置である。したがって、ステップＳＴ１８において装置が出力装置であると判定されることにより、ステップＳＴ１９へ移行する。なお、装置が出力装置ではないと判定したときは、図７に示すフロー図におけるステップＳＴ２５へ移行する。
【００２９】
ステップＳＴ１９においては、出力装置である蓄電池５および充放電器６の稼働を選択する。続いて、ステップＳＴ２０において、稼動条件、例えば蓄電池容量、ＳＯＣ、装置エラー等について満足するか否か、といった判定を行う。ここでは、出力装置として最初の稼働であり、優先稼働するＥＶ用電池７への充電が稼働しておらず、蓄電池５の稼働条件を満足していないため、判定ＮＯによりステップＳＴ２１へ移行する。そして、ステップＳＴ２１において、蓄電池５への出力を装置停止のままとして、ステップＳＴ２５へ移行する。
【００３０】
また、ステップＳＴ２３において、装置が入出力の何れであるかを判定する。ここでの装置は、電力バス１０から電力を受ける出力装置であるので、ステップＳＴ２４へ移行し、蓄電池５への出力を装置停止のままとして、ステップＳＴ２５へ移行する。なお、装置が出力装置ではないと判定したときもステップＳＴ２５へ移行する。
【００３１】
次に、ステップＳＴ２５において、電力バス１０の電圧Ｖｂと設定電圧Ｖ４＝３９０Ｖとを比較し、電圧Ｖｂが設定電圧３９０Ｖより大きいかそれ以下であるかを判定する。電力バス１０の電圧Ｖｂが３９０Ｖ以下（Ｖｂ≦３９０Ｖ）であるときはステップＳＴ２６へ移行し、電圧Ｖｂが３９０Ｖよりも大きい（Ｖｂ＞３９０Ｖ）ときはステップＳＴ３１へ移行する。
【００３２】
ステップＳＴ２６においては、装置（系統電源１）が入力装置であるか出力装置であるかを判定する。ここでは、装置が入力装置であるとの判定により、ステップＳＴ２７へ移行する。なお、装置が入力装置ではないと判定したときは、図８に示すフロー図におけるステップＳＴ３３へ移行する。
【００３３】
ステップＳＴ２７においては、入力装置である系統電源１およびインバータ２の装置稼動を選択し、ステップＳＴ２８へ移行する。ステップＳＴ２８においては、稼動条件、例えば停電、電圧、電力等について満足するか否か、といった判定を行う。稼動条件を満足すると判定したときは、判定ＹＥＳによりステップＳＴ２９へ移行する。ステップＳＴ２９においては、系統電源１およびインバータ２を稼動し、電力バス１０へ２０ｋＷの電力を入力する。そして、ステップＳＴ３３へ移行する。一方、ステップＳＴ２８において稼動条件を満足しないと判定したときは、判定ＮＯによりステップＳＴ３０へ移行し、装置を停止して、ステップＳＴ３３へ移行する。
【００３４】
また、ステップＳＴ３１において、装置が入出力の何れであるかを判定する。ここでは、装置が入力装置である系統電源１であるとの判定により、ステップＳＴ３２へ移行し、装置を停止して、ステップＳＴ３３へ移行する。なお、装置が入力装置ではないと判定したときもステップＳＴ３３へ移行する。以上の処理動作により、電圧Ｖｂが３９０Ｖ以下で系統電源１からインバータ２を経て電力バス１０へ２０ｋＷの電力が入力される。
【００３５】
次に、ステップＳＴ３３において、電力バス１０の電圧Ｖｂと設定電圧Ｖ５＝３８０Ｖとを比較し、電圧Ｖｂが設定電圧３８０Ｖより大きいかそれ以下であるかを判定する。電力バス１０の電圧Ｖｂが３８０Ｖ以下（Ｖｂ≦３８０Ｖ）であるときはステップＳＴ３４へ移行し、電圧Ｖｂが設定電圧３８０Ｖよりも大きい（Ｖｂ＞３８０Ｖ）ときはステップＳＴ３９へ移行する。
【００３６】
ステップＳＴ３４においては、装置（蓄電池５）が入出力の何れであるかを判定する。ここでは、蓄電池５から電力バス１０への入力であり、したがって、装置が入力装置であるとの判定により、ステップＳＴ３５へ移行する。なお、装置が入力装置ではないと判定したときは、図９に示すフロー図におけるステップＳＴ４１へ移行する。
【００３７】
ステップＳＴ３５においては、入力装置である蓄電池５および充放電器６の装置稼動を選択し、ステップＳＴ３６へ移行する。ステップＳＴ３６においては、稼動条件、例えば蓄電池容量、ＳＯＣ、装置エラー等について満足するか否か、といった判定を行う。稼動条件を満足すると判定したときは、判定ＹＥＳによりステップＳＴ３７へ移行する。ステップＳＴ３７においては、蓄電池５および充放電器６を稼動し、電力バス１０へ２０ｋＷの電力を放電入力する。そして、ステップＳＴ４１へ移行する。一方、ステップＳＴ３６において、稼動条件を満足しないと判定したときは、判定ＮＯによりステップＳＴ３８へ移行し、装置の動作を停止して、ステップＳＴ４１へ移行する。
【００３８】
また、ステップＳＴ３９において、装置が入出力の何れであるかを判定する。ここでは、装置が入力装置である蓄電池５であるとの判定により、ステップＳＴ４０へ移行し、装置を停止して、ステップＳＴ４１へ移行する。なお、装置が入力装置ではないと判定したときもステップＳＴ４１へ移行する。以上の処理動作により、電圧Ｖｂが３８０Ｖ以下で蓄電池５から充放電器６を経て電力バス１０へ２０ｋＷの電力が入力される。
【００３９】
次に、ステップＳＴ４１において、電力バス１０の電圧Ｖｂと設定電圧Ｖ６＝３７０Ｖとを比較し、電圧Ｖｂが設定電圧３７０Ｖより大きいかそれ以下であるかを判定する。電力バス１０の電圧Ｖｂが３７０Ｖより大きい（Ｖｂ＞３７０Ｖ）ときはステップＳＴ４２へ移行し、電圧Ｖｂが３７０Ｖ以下（Ｖｂ≦３７０Ｖ）であるときはステップＳＴ４７へ移行する。
【００４０】
ステップＳＴ４２においては、装置が入出力の何れであるか、すなわち、ＥＶ用電池７が、電力バス１０へ電力を入力する入力装置であるか、電力バス１０から電力を受ける出力装置であるかを確認し、ＥＶ用電池７が電力バス１０に対して電力放電を行う入力装置であるか、電力バス１０からの電力を受けて充電する出力装置であるかを判別する。ここでは、装置が電力バス１０から電力を供給される出力装置であると判定されることにより、ステップＳＴ４３へ移行する。なお、装置が出力装置ではないと判定したときは、処理動作を終了する。
【００４１】
ステップＳＴ４３においては、出力装置であるＥＶ用電池７および充放電器８の稼動を選択し、ステップＳＴ４４へ移行する。ステップＳＴ４４においては、稼動条件、例えば蓄電池容量、ＳＯＣ、ＥＶエラー等について満足するか否か、といった判定を行う。稼動条件を満足すると判定したときは、判定ＹＥＳによりステップＳＴ４５へ移行する。ステップＳＴ４５においては、ＥＶ用電池７および充放電器８を稼動し、電力バス１０から１０ｋＷの電力をＥＶ用電池７へ充電出力する。そして、処理動作を終了する。一方、ステップＳＴ４４において稼動条件を満足しないと判定したときは、判定ＮＯによりステップＳＴ４６へ移行し、装置を停止して、処理動作を終了する。
【００４２】
また、ステップＳＴ４７において、装置が入出力の何れであるかを判定する。ここでの装置は、電力バス１０から電力を受ける出力装置であるので、ステップＳＴ４８へ移行し、ＥＶ用電池７を装置停止のままとして、処理動作を終了する。なお、装置が出力装置ではないと判定したときも処理動作を終了する。
【００４３】
以上の処理動作により、太陽光パネル３からソーラーインバータ４を経た電力バス１０への入力、系統電源１からインバータ２を経た電力バス１０への入力、および、蓄電池５から充放電器６を経た電力バス１０への入力により、電力バス１０から充放電器８を経たＥＶ用電池７への充電が終了したことになる。
【００４４】
引き続いて、制御システム９による制御処理を再度スタートさせると、図６に示すフロー図におけるステップＳＴ１７において、電力バス１０の電圧Ｖｂと設定電圧Ｖ３＝４００Ｖとを比較し、電圧Ｖｂが設定電圧４００Ｖより大きいかそれ以下であるかを判定する。ここでは、電力バス１０の電圧Ｖｂが４００Ｖより大きい（Ｖｂ＞４００Ｖ）との判定により、ステップＳＴ１８へ移行する。
【００４５】
ステップＳＴ１８においては、装置（蓄電池５）が入出力の何れであるかを判定し、装置が出力装置であるとの判定により、ステップＳＴ１９へ移行する。そして、ステップＳＴ１９において装置稼働を選択し、ステップＳＴ２０へ移行する。ステップＳＴ２０においては、稼動条件を満足するか否かを判定するが、稼動条件として、既に優先順位１のＥＶ用電池７が稼動しているので、優先順位２である蓄電池５に係る稼動条件を満足している。したがって、稼動条件についての判定ＹＥＳにより、ステップＳＴ２２へ移行する。ステップＳＴ２２においては、蓄電池５および充放電器６を稼働し、電力バス１０から５０ｋＷの電力を蓄電池５へ充電出力する。これにより、蓄電池５への充電が終了する。
【００４６】
さらに引き続き、制御システム９による制御処理を再々度スタートさせると、図５に示すフロー図におけるステップＳＴ９において、電力バス１０の電圧Ｖｂと設定電圧Ｖ２＝４１０Ｖとを比較し、電圧Ｖｂが設定電圧４１０Ｖより大きいかそれ以下であるかを判定する。ここでは、電力バス１０の電圧Ｖｂが４１０Ｖより大きい（Ｖｂ＞４１０Ｖ）との判定により、ステップＳＴ１０へ移行する。
【００４７】
ステップＳＴ１０においては、装置（系統電源１）が入出力の何れであるかを判定し、装置が出力装置であるとの判定により、ステップＳＴ１１へ移行する。そして、ステップＳＴ１１において装置稼働を選択し、ステップＳＴ１２へ移行する。ステップＳＴ１２においては、稼動条件を満足するか否かを判定するが、稼動条件として、既に優先順位１のＥＶ用電池７および優先順位２の蓄電池５が稼動しているので、優先順位３である系統電源１に係る稼動条件を満足している。したがって、稼動条件についての判定ＹＥＳにより、ステップＳＴ１４へ移行する。ステップＳＴ１４においては、系統電源１およびインバータ２を稼働し、電力バス１０から２０ｋＷの電力を系統電源１へ回生出力する。これにより、系統電源１への回生出力が終了する。
【００４８】
なお、上記した実施形態は１例であって、本発明の範囲が上述した実施形態の内容に限定されるものでないことは言うまでもない。
【００４９】
すなわち、上記した実施形態では、系統電源１、太陽光パネル３および蓄電池５を入力源とし、蓄電池５、ＥＶ用電池７および系統電源（回生）１を出力源とするようにし（これらのうち、系統電源１および蓄電池５は、入力源にも出力源にもなる双方向電源）、比較的少ない電源のシンプルな電力融通システムを例にとって説明したが、例えば図１０に示すように、系統電源１およびインバータ２、太陽光パネル３およびソーラーインバータ４、蓄電池５および充放電器６、ならびに、ＥＶ用電池７および充放電器８に加え、ＥＶ用電池１２および充放電器１３、燃料電池１４および電力変換器１５、風力発電機１６および電力変換器１７、発電機１８および電力変換器１９、ならびに、負荷２０および電力変換器２１を備える電力融通システムとすることができる。ここで言う負荷２０は、例えば冷蔵庫、洗濯機、テレビ等の家庭用電気製品や生産用機械器具などである。
【００５０】
このような電力融通システムは、図１に示した電力融通システムに対し、双方向電源であるＥＶ用電池１２および充放電器１３、燃料電池１４および電力変換器１５、風力発電機１６および電力変換器１７、発電機１８および電力変換器１９、ならびに、各種の負荷２０および電力変換器２１を備える点で構成要素を多く要しているが、その分、ＥＶ用電池１２は入出力源として、燃料電池１４、風力発電機１６および発電機１８は入力源として、負荷２０は出力源として使用することができ、図１に示した電力融通システムに比べると、電力バス１０を介しての電力融通を、入力源／出力源に余裕をもって行い得る、といった利点がある。
【符号の説明】
【００５１】
１  系統電源
２  インバータ
３  太陽光パネル
４  ソーラーインバータ
５  蓄電池
６、８、１３  充放電器
７、１２  ＥＶ用電池
９  制御システム
１０  電力バス
１１  通信回線
１４  燃料電池
１５、１７、１９、２１  電力変換器
１６  風力発電機
１８  発電機
２０  負荷
【図１】
2018038126.tif 000003
【図２】
2018038126.tif 000004
【図３】
2018038126.tif 000005
【図４】
2018038126.tif 000006
【図５】
2018038126.tif 000007
【図６】
2018038126.tif 000008
【図７】
2018038126.tif 000009
【図８】
2018038126.tif 000010
【図９】
2018038126.tif 000011
【図１０】
2018038126.tif 000012